(57)【要約】【課題】接続先の不用意なサーチ動作を回避しつつ、速やかにデータ通信を開始させやすくする。【解決手段】無線通信端末装置１０１は、ＷＬＡＮ通信部１１２と、上記ＷＬＡＮ通信部１１２よりも消費電力が小さいＢＴ通信部１１３と、上記ＢＴ通信部１１３によって、あらかじめ定められたＢＴ機器２０１と接続された場合に上記ＷＬＡＮ通信部１１２を動作状態にするＷＬＡＮ制御部１１１ａおよびＢＴ制御部１１１ｂとを備えている。【選択図】図１
2013191933.tif 000002
【特許請求の範囲】
【請求項１】
無線通信を行う第１の通信部と、
上記第１の通信部よりも消費電力が小さい第２の通信部と、
上記第２の通信部によって、あらかじめ定められた装置と接続された場合に、上記第１の通信部を動作状態にする通信制御部と、
を備えたことを特徴とする無線通信端末装置。
【請求項２】
請求項１の無線通信端末装置であって、
上記あらかじめ定められた装置は、上記第２の通信部によって自動接続する機器として設定された装置のうちからユーザにより選択されることによって定められる装置であることを特徴とする無線通信端末装置。
【請求項３】
請求項１および請求項２のうち何れか１項の無線通信端末装置であって、
上記通信制御部は、上記あらかじめ定められた装置との上記第２の通信部による接続が切断された場合に、上記第１の通信部を停止状態にするように構成されていることを特徴とする無線通信端末装置。
【請求項４】
請求項１から請求項３のうち何れか１項の無線通信端末装置であって、
上記通信制御部は、
上記第１の通信部が動作状態であり、かつ、上記第１の通信部による接続は行われていない場合であって、さらに、
上記あらかじめ定められた装置との上記第２の通信部による接続が切断された場合に、
上記第１の通信部を停止状態にするように構成されていることを特徴とする無線通信端末装置。
【請求項５】
請求項１から請求項４のうち何れか１項の無線通信端末装置であって、
上記通信制御部は、
上記第１の通信部が動作状態であり、かつ、上記第１の通信部による接続は行われていない場合であって、さらに、
上記あらかじめ定められた装置との上記第２の通信部による接続が行われている場合に、
上記第１の通信部による接続を試みるように構成されていることを特徴とする無線通信端末装置。
【請求項６】
請求項１から請求項５のうち何れか１項の無線通信端末装置であって、
上記通信制御部は、
上記第２の通信部によって、あらかじめ定められた装置と接続された場合に、上記第１の通信部を動作状態にした後、上記第１の通信部の通信相手が所定の時間見つからない場合には、上記第１の通信部を停止状態にするように構成されていることを特徴とする無線通信端末装置。
【請求項７】
請求項１から請求項６のうち何れか１項の無線通信端末装置であって、
上記第１の通信部は、無線ＬＡＮによる通信を行うように構成されている特徴とする無線通信端末装置。
【請求項８】
請求項７の無線通信端末装置であって、
上記第１の通信部は、Ｗｉ−Ｆｉに準拠した規格による通信を行い、上記第２の通信部は、Ｂｌｕｅｔｏｏｔｈ（登録商標）に準拠した規格による通信を行うように構成されていることを特徴とする無線通信端末装置。
【請求項９】
請求項１から請求項８のうち何れか１項の無線通信端末装置であって、
上記あらかじめ定められた装置との接続は、あらかじめ定められた組み合わせの複数の装置との接続を含むことを特徴とする無線通信端末装置。
【発明の詳細な説明】
【技術分野】
【０００１】
本発明は、例えばＢｌｕｅｔｏｏｔｈ（登録商標）や、無線ＬＡＮ（ＷＬＡＮ：Wireless Local Area Network、Wave Local Area Network）などによる無線通信機能を有する無線通信端末装置に関するものである。
【背景技術】
【０００２】
近年、携帯電話などの端末装置には、例えば、無線ＬＡＮによりアクセスポイントに接続して無線通信するなどの無線通信機能を有するものがある。この種の装置では、アクセスポイントなどの接続先との接続が、手動でなされる場合と、アクセスポイント等が定期的にサーチされて自動的になされる場合とがある。上記手動で接続される場合には、その接続操作が煩雑になるうえ、速やかにデータ通信を開始することができない。一方、自動的に接続される場合には、無線通信が行われていないときでも、アクセスポイントなどの接続先をサーチするために電力が消費される。このため、バッテリで動作する装置の場合には、その消耗が激しくなる。
【０００３】
そこで、バッテリの充電中には、接続先がサーチされて接続される自動接続モードになる一方、充電中でない場合には、手動で接続される手動接続モードになる技術が知られている（例えば、特許文献１参照）。
【先行技術文献】
【特許文献】
【０００４】
【特許文献１】特開２０１０−１７８０６１
【発明の概要】
【発明が解決しようとする課題】
【０００５】
しかしながら、上記のようにバッテリの充電中でない場合に手動接続モードにされる装置では、充電中でない場合には、アクセスポイントに接続可能な場合であっても手動操作がなされるまで接続がなされないので、やはり、接続操作が煩雑になるうえ、速やかにデータ通信を開始することができない。
【０００６】
本発明は、かかる点に鑑みてなされたものであり、その目的は、接続先の不用意なサーチ動作を回避しつつ、速やかなデータ通信の開始を行われやすくすることにある。
【課題を解決するための手段】
【０００７】
第１の発明は、
無線通信を行う第１の通信部と、
上記第１の通信部よりも消費電力が小さい第２の通信部と、
上記第２の通信部によって、あらかじめ定められた装置と接続された場合に、上記第１の通信部を動作状態にする通信制御部と、
を備えたことを特徴とする。
【０００８】
これにより、ある装置が第２の通信部によって接続されている場合に第１の通信部による接続が可能である蓋然性が高いとすると、そのような装置を上記あらかじめ定められた装置として定めておくことにより、第１の通信部によって接続できる可能性が高い場合には、第１の通信部を動作状態にして速やかな接続を容易にするとともに、第１の通信部によって接続できる可能性が低い場合には、第１の通信部が不用意に動作状態にされることによる電力消費の抑制を図ることなどが容易にできる。
【０００９】
第２の発明は、
第１の発明の無線通信端末装置であって、
上記あらかじめ定められた装置は、上記第２の通信部によって自動接続する機器として設定された装置のうちからユーザにより選択されることによって定められる装置であることを特徴とする。
【００１０】
これにより、ユーザの選択に応じて消費電力の低減と利便性との両立を図ることが容易にできる。
【００１１】
第３の発明は、
第１の発明および第２の発明のうち何れか１つの無線通信端末装置であって、
上記通信制御部は、上記あらかじめ定められた装置との上記第２の通信部による接続が切断された場合に、上記第１の通信部を停止状態にするように構成されていることを特徴とする。
【００１２】
これにより、上記のような第２の通信部による接続が切断されたときに、第１の通信部による接続がなされる可能性が低い場合には、第１の通信部が停止状態にされることによって、やはり、利便性を損なうことなく電力の消費が抑制される。
【００１３】
第４の発明は、
第１の発明から第３の発明のうち何れか１つの無線通信端末装置であって、
上記通信制御部は、
上記第１の通信部が動作状態であり、かつ、上記第１の通信部による接続は行われていない場合であって、さらに、
上記あらかじめ定められた装置との上記第２の通信部による接続が切断された場合に、
上記第１の通信部を停止状態にするように構成されていることを特徴とする。
【００１４】
これにより、やはり、第１の通信部によって接続できる可能性が低い場合に、第１の通信部が停止状態にされることにより、消費電力が容易に低減される。
【００１５】
第５の発明は、
第１の発明から第４の発明のうち何れか１つの無線通信端末装置であって、
上記通信制御部は、
上記第１の通信部が動作状態であり、かつ、上記第１の通信部による接続は行われていない場合であって、さらに、
上記あらかじめ定められた装置との上記第２の通信部による接続が行われている場合に、
上記第１の通信部による接続を試みるように構成されていることを特徴とする。
【００１６】
これにより、第１の通信部による接続は行われていなくても、その接続の可能性が高い場合には、接続が試みられることによって、やはり、消費電力の低減と利便性との両立を図ることが容易にできる。
【００１７】
第６の発明は、
第１の発明から第５の発明のうち何れか１つの無線通信端末装置であって、
上記通信制御部は、
上記第２の通信部によって、あらかじめ定められた装置と接続された場合に、上記第１の通信部を動作状態にした後、上記第１の通信部の通信相手が所定の時間見つからない場合には、上記第１の通信部を停止状態にするように構成されていることを特徴とする。
【００１８】
これにより、上記第２の通信部によって、あらかじめ定められた装置と接続された場合であっても、実際に第１の通信部による接続ができない場合には、第１の通信部が停止状態にされて電力消費が抑制される。
【００１９】
第７の発明は、
第１の発明から第６の発明のうち何れか１つの無線通信端末装置であって、
上記第１の通信部は、無線ＬＡＮによる通信を行うように構成されている特徴とする。
【００２０】
第８の発明は、
第７の発明の無線通信端末装置であって、
上記第１の通信部は、Ｗｉ−Ｆｉ（wireless fidelity）に準拠した規格による通信を行い、上記第２の通信部は、Ｂｌｕｅｔｏｏｔｈ（登録商標）に準拠した規格による通信を行うように構成されていることを特徴とする。
【００２１】
これらにより、Ｗｉ−Ｆｉ等の無線ＬＡＮやＢｌｕｅｔｏｏｔｈ（登録商標）による通信において、Ｗｉ−Ｆｉ等の通信による消費電力を低減することが容易にできる。
【００２２】
第９の発明は、
第１の発明から第８の発明のうち何れか１つの無線通信端末装置であって、
上記あらかじめ定められた装置との接続は、あらかじめ定められた組み合わせの複数の装置との接続を含むことを特徴とする。
【００２３】
これにより、第１の通信部による接続が可能であるかどうかの判断、推定をより適切に行ったり柔軟に行ったりすることなどが容易にできる。
【発明の効果】
【００２４】
本発明では、接続先の不用意なサーチ動作を回避しつつ、速やかなデータ通信の開始を行われやすくすることができる。
【図面の簡単な説明】
【００２５】
【図１】発明の実施形態の無線通信端末装置１０１の構成を示すブロック図である。
【図２】ＢＴリスト１１１ｃの記憶内容を示す説明図である。
【図３】ＷＬＡＮ通信部１１２がＯＦＦの場合の動作を示すフローチャートである。
【図４】ＷＬＡＮ通信部１１２がＯＮの場合の動作を示すフローチャートである。
【発明を実施するための形態】
【００２６】
以下、本発明の実施形態を図面に基づいて詳細に説明する。
【００２７】
例えば携帯電話や情報通信端末等の無線通信端末装置１０１は、図１に示すように、本体部１１１と、これに接続されたＷＬＡＮ通信部１１２（第１の通信部）と、ＢＴ通信部１１３（第２の通信部）と、入力部１１４と、ＬＣＤ１１５（液晶表示装置）と、ＢＡＴＴ１１６（バッテリ）とを備えている。
【００２８】
上記本体部１１１は、例えば携帯電話等として機能する構成要素を備えるとともに、ＷＬＡＮ制御部１１１ａ（通信制御部の一部）、ＢＴ制御部１１１ｂ（通信制御部の一部）、およびＢＴリスト１１１ｃを備えている。ＷＬＡＮ制御部１１１ａ、およびＢＴ制御部１１１ｂは、それぞれＷＬＡＮ通信部１１２またはＢＴ通信部１１３をＯＮ（動作状態）またはＯＦＦ（停止状態）に切り替えるなどの制御をするもので、例えば制御プログラムを実行するプロセッサ（コンピュータ）などによって構成される。ＢＴリスト１１１ｃについては後に詳述する。
【００２９】
ＷＬＡＮ通信部１１２は、例えばＷｉ−Ｆｉに準拠した規格による通信によってアクセスポイント装置３０１（Ｗｉ−Ｆｉ機器）に接続し、インターネットなどを介した通信を行うものである。
【００３０】
ＢＴ通信部１１３は、例えばＢｌｕｅｔｏｏｔｈ（登録商標）に準拠した規格による通信によってＢＴ機器２０１・２０２との間で通信を行うものである。ＢＴ機器２０１・２０２は、例えばキーボードや、マウス、ヘッドセット、イヤホンなどの機器で、後述するようにユーザの設定等によって据え置き型の機器と据え置き型以外の機器とに分類される。
【００３１】
入力部１１４は、キーやタッチパッドなど、ユーザの操作を受け付けるものである。
【００３２】
上記本体部１１１に備えられるＢＴリスト１１１ｃは、例えば図２に示すように、ＢＴ通信部１１３を介した通信により自動接続する自動接続機器として設定された機器のリストを保持するようになっている。また、さらに、上記自動接続機器のうち、据え置き型機器として選択された機器のリストを保持するようになっている。
【００３３】
ここで、上記自動接続機器（特定のＢＴ機器）とは、例えば、無線通信端末装置１０１とペアリングした実績のあるＢＴ機器のことである。ペアリングの実績があるため、端末はこれらの機器に関する情報が保持されて自動的に接続することができる。
【００３４】
上記据え置き型機器は、アクセスポイント装置３０１との接続可能エリア外に持ち出される可能性が低い機器として、例えばユーザにより任意に登録された機器である。具体的には、例えばアクセスポイント装置３０１が自宅内に設定されている場合、自宅内で使用し外に持ち出さないような使い方がされているＢＴ通信キーボードが据え置き型機器として設定される。一方、ＢＴ通信イヤホンは、一般に、外出時に持ち出す機会が多いため、据え置き型機器としては不適切な場合が多いと考えられる。
【００３５】
（ＷＬＡＮ通信部１１２がＯＦＦの場合の動作）
上記のように構成された無線通信端末装置１０１において、ＷＬＡＮ制御部１１１ａおよびＢＴ制御部１１１ｂの制御によりＷＬＡＮ通信部１１２がＯＦＦからＯＮに切り替えられる場合の動作を図３に基づいて説明する。
【００３６】
ここで、以下では、無線通信端末装置１０１の本体部１１１におけるＢＴリスト１１１ｃには、自動接続機器として、ＢＴ機器２０１・２０２を示す情報が保持され、さらに、据え置き型機器として、そのうちのＢＴ機器２０１を示す情報が保持されているとして説明する。
【００３７】
（Ｓ１０１）  ＷＬＡＮ通信部１１２がＯＦＦ、ＢＴ通信部１１３がＯＮの状態から処理が開始される。
【００３８】
（Ｓ１０２）  ＢＴ通信部１１３によって、無線通信端末装置１０１と接続可能なＢＴ機器が検索される（ＢＴサーチ）。
【００３９】
（Ｓ１０３）  接続可能なＢＴ機器が検索されるまで上記ＢＴサーチ（Ｓ１０３）が繰り返され、検索された場合は（Ｓ１０４）に遷移する。
【００４０】
（Ｓ１０４）  上記検索でヒットしたＢＴ機器が、ＢＴ機器２０１、またはＢＴ機器２０２であるかどうか、すなわちヒットしたＢＴ機器に対応する情報がＢＴリスト１１１ｃに自動接続機器として保持されているかどうかが確認される。保持されていれば、自動接続機器と判断され、（Ｓ１０５）に遷移する。一方、保持されていなければ（Ｓ１１１）に遷移し、ＷＬＡＮ通信部１１２がＯＦＦのまま処理が終了する。
【００４１】
（Ｓ１０５）  上記検索でヒットしたＢＴ機器がＢＴ機器２０１またはＢＴ機器２０２であれば、そのＢＴ機器との接続処理が行われる。
【００４２】
（Ｓ１０６）  接続されたＢＴ機器が、ＢＴ機器２０１であるかどうか、すなわち接続されたＢＴ機器に対応する情報がＢＴリスト１１１ｃに据え置き型機器として保持されているかどうかが確認される。保持されていれば、据え置き型機器と判断され、（Ｓ１０７）に遷移する。一方、保持されていなければ（Ｓ１１１）に遷移し、ＷＬＡＮ通信部１１２がＯＦＦのまま処理が終了する。
【００４３】
（Ｓ１０７）  ＢＴ機器２０１とのＢＴ接続がなされれば、そのＢＴ機器２０１の近傍にＷｉ−Ｆｉ機器である例えばアクセスポイント装置３０１が存在すると想定されるので、そのアクセスポイント装置３０１との接続を行うために、ＷＬＡＮ通信部１１２がＯＮにされる。
【００４４】
（Ｓ１０８）  ＷＬＡＮ通信部１１２がＯＮになると、あらかじめ設定された所定時間だけＷｉ−Ｆｉ機器の検索が行われる（Ｗｉ−Ｆｉサーチ）。この検索によって、例えばアクセスポイント装置３０１が検索されると、そのアクセスポイント装置３０１との接続が行われる。
【００４５】
上記のような接続は、具体的には、例えば次のような自動接続のための条件が満たされる場合に可能である。すなわち、例えば、検索されたアクセスポイント装置３０１が、事前に接続したことがあり自動的に接続可能なアクセスポイント装置である場合には、無線通信端末装置１０１がパスワードを覚えていることなどによって自動接続が可能である。また、例えば、検索されたアクセスポイント装置３０１がフリーまたは限定的なアクセスポイント装置であり、パスワードなしで接続可能な場合などにも、自動接続が可能である。ここで、上記フリーなアクセスポイント装置とは、例えば、パスワードの掛かっていない公共のアクセスポイント装置等である。また、限定的なアクセスポイント装置とは、例えば、各携帯電話会社が展開する携帯電話などの端末向けのアクセスポイント装置等である。
【００４６】
（Ｓ１０９）  アクセスポイント装置３０１と接続されているかどうかが判定され、接続されていない場合、すなわち上記所定時間内にアクセスポイント装置３０１が検索されなかった場合、およびアクセスポイント装置３０１との接続が失敗した場合には、（Ｓ１１０）に遷移する。一方、アクセスポイント装置３０１が検索されて接続できている場合には、（Ｓ１１１）に遷移し、ＷＬＡＮ通信部１１２がＯＮにされたまま処理が終了する。
【００４７】
（Ｓ１１０）  上記（Ｓ１０９）でアクセスポイント装置３０１との接続されていないと判定された場合には、ＷＬＡＮ通信部１１２がＯＦＦにされて電力の消費が抑制される。
【００４８】
（Ｓ１１１）  上記のようにＷＬＡＮ通信部１１２がＯＮもしくはＯＦＦにされた後、またはＯＦＦ状態が維持された後、処理が終了する。
【００４９】
（ＷＬＡＮ通信部１１２がＯＮの場合の動作）
次に、ＷＬＡＮ通信部１１２がＯＮである場合に、そのＯＮ状態が維持され、またはＯＦＦに切り替えられる場合の動作を図４に基づいて説明する。
【００５０】
（Ｓ２０１）  ＷＬＡＮ通信部１１２、およびＢＴ通信部１１３が共にＯＮの状態から処理が開始される。
【００５１】
（Ｓ２０２）  Ｗｉ−Ｆｉ機器であるたとえばアクセスポイント装置３０１と接続されているかどうかが確認され、接続されていれば、（Ｓ２０７）に遷移し、ＷＬＡＮ通信部１１２がＯＮにされたまま処理が終了する。一方、アクセスポイント装置３０１と接続されていなければ、（Ｓ２０３）に遷移する。
【００５２】
（Ｓ２０３）  据え置き型のＢＴ機器であるたとえばＢＴ機器２０１と接続されているかどうかが確認され、接続されていない場合には、近傍にアクセスポイント装置３０１は存在しないとして、（Ｓ２０６）に遷移し、ＷＬＡＮ通信部１１２がＯＦＦにされる。一方、据え置き型のＢＴ機器２０１と接続されていれば、近傍のアクセスポイント装置３０１の存在が想定されるため（Ｓ２０４）に遷移する。
【００５３】
（Ｓ２０４）  ＷＬＡＮ通信部１１２がＯＮである場合に、上記（Ｓ２０２）でアクセスポイント装置３０１と接続されていないと判定され、かつ、上記（Ｓ２０３）で据え置き型のＢＴ機器２０１と接続されていると判定される状態としては、近傍にアクセスポイント装置３０１は存在するが、そのアクセスポイント装置３０１と接続されてはいない状態、すなわち接続は可能であるが一時的に切断されている状態が想定される。そこで、前記図３の（Ｓ１０８）と同様に、あらかじめ設定された所定時間だけＷｉ−Ｆｉ機器の検索が行われ、例えばアクセスポイント装置３０１が検索されると、そのアクセスポイント装置３０１との接続が行われる。
【００５４】
（Ｓ２０５）  そして、前記（Ｓ１０９）と同様に、アクセスポイント装置３０１と接続されているかどうかが判定され、接続されていない場合、すなわち上記所定時間内にアクセスポイント装置３０１が検索されなかった場合、およびアクセスポイント装置３０１との接続が失敗した場合には、（Ｓ２０６）に遷移する。一方、アクセスポイント装置３０１が検索されて接続できている場合には、（Ｓ２０７）に遷移し、ＷＬＡＮ通信部１１２がＯＮにされたまま処理が終了する。
【００５５】
（Ｓ２０６）  上記（Ｓ２０５）でアクセスポイント装置３０１との接続がされていないと判定された場合には、ＷＬＡＮ通信部１１２がＯＦＦにされて電力の消費が抑制される。
【００５６】
（Ｓ２０７）  上記のようにＷＬＡＮ通信部１１２のＯＮ状態が維持され、またはＯＦＦにされた後、処理が終了する。
【００５７】
上記のように、Ｗｉ−Ｆｉ機器等が近傍の環境内に存在しないことが明らかと想定される場合には、ＷＬＡＮ通信部１１２（無線通信端末装置１０１のＷｉ−Ｆｉ機能等）をＯＦＦにし、Ｗｉ−Ｆｉサーチ等を行わないようにすることで、Ｗｉ−Ｆｉサーチを行っている状態が続くことなどによる消費電力の増大を回避することができる。
【００５８】
そして、Ｗｉ−Ｆｉ機器等が近傍の環境内に存在しているかどうかの判断は、例えば、ＢＴ機器との通信の確立有無を利用することによって容易にできる。つまり、Ｗｉ−Ｆｉ機器の近傍にＢＴ機器が設置されていれば、無線通信端末装置が当該ＢＴ機器と通信できれば、Ｗｉ−Ｆｉ機器も存在するものと判断することができる。
【００５９】
ここで、例えば、無線通信端末装置がＢＴ機器と通信を行う際には、Ｗｉ−Ｆｉ機器との通信と同様に、ＢＴ機能がＯＮにされてＢＴ機器を探すためのＢＴサーチが行われるが、ＢＴサーチはＷｉ−Ｆｉサーチに比べて消費電力が小さいので、Ｗｉ−ＦｉサーチではなくＢＴサーチを行うことで、消費電力の低減を図りつつ、所定のＢＴ機器と通信可能な特定の場所では、例えばいわゆる３Ｇ等の既存の回線よりも高速な通信を可能にすることができる。
【００６０】
（その他の事項）
なお、上記の例では、Ｂｌｕｅｔｏｏｔｈ（登録商標）、およびＷｉ−Ｆｉによる通信が用いられる例を示したが、これに限らず、消費電力が異なる２種類以上の通信方式であれば、例えばＦｅｌｉｃａ（登録商標）やＮＦＣ（Near Field Communication）なども同様に適用することができる。さらに、Ｗｉ−Ｆｉ機器等の存在を判断（推定）するための通信機器としては、無線通信機器に限らず、例えばＵＳＢ（Universal Serial Bus）を用いる有線通信機器などであっても、Ｗｉ−Ｆｉ機器等の存在との関連性が想定される通信機器であればよい。
【００６１】
また、Ｗｉ−Ｆｉ機器等の存在の判断（推定）は、１台の通信機器との接続だけに基づいて行われるのに限らず、複数の同種または異種の通信機器の組み合わせが接続されているかどうかに基づいて行われるようにしたりしてもよい。具体的には、例えば、ＢＴ通信イヤホンは外出時に持ち出す機会が多い場合でも、２つ以上のイヤホンや、ヘッドセットとイヤホンとが同時に接続されている場合などに、無線通信端末装置はこれらのイヤホン等と一緒に持ち出されているのではなく、自宅内で使用されている可能性が高いとして、Ｗｉ−Ｆｉ機器等と接続し得るようにしてもよい。
【００６２】
また、上記（Ｓ１０８）（Ｓ２０４）（図３、図４）では、必ず所定時間だけＷｉ−Ｆｉサーチが行われる例を示したが、例えば、アクセスポイント装置３０１が検索された場合には速やかに接続が行われる一方、検索されることなく所定時間が経過した場合に、ＷＬＡＮ通信部１１２がＯＦＦにされるようにしてもよい。
【００６３】
また、上記（Ｓ１１０）（Ｓ２０６）（図３、図４）でＷＬＡＮ通信部１１２がＯＦＦにされた場合でも、手動でＯＮ／ＯＦＦ制御することは可能にしてもよい。この場合には、例えば据え置き型のＢＴ機器と接続されていない場合に、不用意なＷｉ−Ｆｉ機器の検索を抑制しつつ、必要に応じて手動でＷｉ−Ｆｉ機器の検索を行わせて接続させることなどができる。
【００６４】
また、アクセスポイント装置３０１が検索されなかった場合でも、ＢＴ機器２０１との接続がなされている場合には、定期的にサーチが行われるようにしてもよい。この場合でも、ＢＴ機器２０１と接続されていない場合には、そのようなサーチが行われないので、消費電力を低減することができる。
【産業上の利用可能性】
【００６５】
以上説明したように、本発明は、例えばＢｌｕｅｔｏｏｔｈ（登録商標）や、Ｗｉ−Ｆｉなどによる無線通信機能を有する無線通信端末装置等について有用である。
【符号の説明】
【００６６】
１０１      無線通信端末装置
１１１      本体部
１１１ａ    ＷＬＡＮ制御部
１１１ｂ    ＢＴ制御部
１１１ｃ    ＢＴリスト
１１２      ＷＬＡＮ通信部
１１３      ＢＴ通信部
１１４      入力部
１１５      ＬＣＤ
１１６      ＢＡＴＴ
２０１      ＢＴ機器
２０２      ＢＴ機器
３０１      アクセスポイント装置
【図１】
2013191933.tif 000003
【図２】
2013191933.tif 000004
【図３】
2013191933.tif 000005
【図４】
2013191933.tif 000006